(57)【要約】【課題】  記録メディアに記録された大量の画像を容易に閲覧可能にするとともに、当該画像から作成した動画ファイルが記録メディアにおいて占める容量を節約可能な容量動画再生装置、動画再生方法及び撮影装置を提供する。【解決手段】  動画再生装置１は、外部再生装置１００及び外部ディスプレイ１０２とＬＡＮ接続されて動画再生システムを構成する。動画再生装置１は、撮影装置により構成されており、撮影した画像ファイルを格納している。撮影装置１は、操作スイッチや、外部再生装置１００等からの動画の出力要求に応じて、画像ファイルを用いて動画ファイルを作成し、ＬＡＮを介して外部再生装置１００にリアルタイムで出力する。撮影装置１から出力された動画ファイルは、外部再生装置１００によって表示用の画像信号に変換されて、外部ディスプレイ１０２に出力されて再生表示される。撮影装置１により作成された動画ファイルは、動画の出力要求が入力される度に作成される。【選択図】      図１
2008193495.tif 000002
【特許請求の範囲】
【請求項１】
画像を記録する記録手段と、
前記記録手段に記録された１又は複数の画像を用いて動画を作成する動画作成手段と、
前記動画の出力指示を入力するための指示入力手段と、
前記動画の出力指示に応じて、前記動画作成手段により、前記記録手段から画像を読み出して動画の作成を実行する制御手段と、
前記動画作成手段により作成された動画を、作成された部分から順に再生出力する動画出力手段と、
を備えることを特徴とする動画再生装置。
【請求項２】
前記動画出力手段は、前記作成された動画を外部再生装置に出力して再生表示させることを特徴とする請求項１記載の動画再生装置。
【請求項３】
複数の画像をつなぎ合わせて動画を作成する際にトランジション処理を施すとともに、前記動画の作成に用いる画像にオーサリングを施すオーサリング手段を更に備えることを特徴とする請求項１又は２記載の動画再生装置。
【請求項４】
前記動画の作成に使用する画像を選択する選択手段を更に備え、
前記動画作成手段は、前記選択された画像を用いて動画を作成することを特徴とする請求項１から３のいずれか１項記載の動画再生装置。
【請求項５】
前記選択手段は、前記画像を選択する際の選択条件の指定を受け付ける手段を備え、前記指定された選択条件に基づいて、前記記録手段に記録された画像の中から前記動画の作成に使用する画像を選択することを特徴とする請求項４記載の動画再生装置。
【請求項６】
請求項１から５のいずれか１項記載の動画再生装置を備えることを特徴とする撮影装置。
【請求項７】
動画の出力指示を入力するための指示入力工程と、
前記動画の出力指示に応じて、画像を記録するための記録手段に記録された１又は複数の画像を用いて動画を作成する動画作成工程と、
前記動画作成工程において作成された動画を、作成された部分から順に再生出力する動画出力工程と、
を備えることを特徴とする動画再生方法。
【請求項８】
複数の画像をつなぎ合わせて動画を作成する際にトランジション処理を施すとともに、前記動画の作成に用いる画像にオーサリングを施すオーサリング工程を更に備えることを特徴とする請求項７記載の動画再生方法。
【請求項９】
前記動画の作成に使用する画像を選択する選択工程を更に備え、
前記動画作成工程では、前記選択された画像を用いて動画を作成することを特徴とする請求項７又は８記載の動画再生方法。
【請求項１０】
前記画像を選択する際の選択条件の指定を受け付ける工程と、
前記指定された選択条件に基づいて、前記記録手段に記録された画像の中から前記動画の作成に使用する画像を選択する工程と、
を備えることを特徴とする請求項７又は８記載の動画再生方法。
【発明の詳細な説明】
【技術分野】
【０００１】
本発明は動画再生装置、動画再生方法及び撮影装置に係り、特にストレージされた画像を利用して作成された動画を再生する技術に関する。
【背景技術】
【０００２】
従来、ディジタル電子スチル・カメラにおいて、外部から送信される圧縮画像データを受信して、ディジタル電子スチル・カメラに含まれている伸張回路を用いてデータ伸張を施して外部に送信可能にする技術が提案されている（特許文献１）。
【０００３】
また、特許文献２には、再生すべきタイミングＴｉ（ｉ＝１，２，３，…）に同期をとって再生すべき画像データＰｉと音声データＳｉとが含まれる単位データＵｉが連結されて構成された動画ファイルを再生する動画再生装置について開示されている。
【０００４】
また、特許文献３には、連続撮影の際に、連続撮影した静止画像に基づいて静止画ファイルを各々生成するとともに、連続撮影した静止画像の組に基づいて動画ファイルをあわせて生成するデジタルカメラについて開示されている。
【特許文献１】特許第３０１５１８３号公報
【特許文献２】特許第３５０３５９９号公報
【特許文献３】特許第３６２１６８４号公報
【発明の開示】
【発明が解決しようとする課題】
【０００５】
近年、電子カメラの記録メディアの大容量化に伴って、１枚の記録メディアに、一例で数千枚に及ぶ大量の画像が記録可能になっている。このように大量の画像を、１枚ずつ順送り／逆送り操作したり、スライドショーを実行して閲覧するのは、操作が面倒であったり、画像の閲覧にかなりの時間を要する。このため、大量の画像が利用されず死蔵されてしまうという問題があった。
【０００６】
また、特許文献２及び３では、静止画から動画ファイルを作成して保存することが開示されているが、動画ファイルのサイズは一般に数百Ｍから数ＧＢあるため、記録メディアに保存するのは現実的ではないという問題があった。
【０００７】
本発明はこのような事情に鑑みてなされたもので、記録メディアに記録された大量の画像を容易に閲覧可能にするとともに、当該画像から作成した動画ファイルが記録メディアにおいて占める容量を節約可能な容量動画再生装置、動画再生方法及び撮影装置を提供することを目的とする。
【課題を解決するための手段】
【０００８】
上記課題を解決するために、本発明の請求項１に係る動画再生装置は、画像を記録する記録手段と、前記記録手段に記録された１又は複数の画像を用いて動画を作成する動画作成手段と、前記動画の出力指示を入力するための指示入力手段と、前記動画の出力指示に応じて、前記動画作成手段により、前記記録手段から画像を読み出して動画の作成を実行する制御手段と、前記動画作成手段により作成された動画を、作成された部分から順に再生出力する動画出力手段とを備えることを特徴とする。
【０００９】
請求項１に係る発明によれば、記録手段に記録された画像を動画化して、内部又は外部の動画出力手段に再生出力することにより、画像が大量であっても容易に閲覧することができる。また、再生出力の都度、動画を作成するようにしたので、記録手段の空き容量を節約することができる。
【００１０】
請求項２に係る発明は、請求項１の動画再生装置において、前記動画出力手段は、前記作成された動画を外部再生装置に出力して再生表示させることを特徴とする。
【００１１】
請求項３に係る発明は、請求項１又は２の動画再生装置において、複数の画像をつなぎ合わせて動画を作成する際にトランジション処理を施すとともに、前記動画の作成に用いる画像にオーサリングを施すオーサリング手段を更に備えることを特徴とする。
【００１２】
請求項３に係る発明によれば、記録手段に記録された画像を単に配列してつなぎ合わせただけでなく、トランジション処理やオーサリングを施すことにより、表現力の豊かな動画を提供することができる。これにより、大量の画像から作成された長い動画であっても、ユーザが飽きずに見ることができるので、画像の閲覧、利用頻度を高めることができる。
【００１３】
請求項４に係る発明は、請求項１から３の動画再生装置において、前記動画の作成に使用する画像を選択する選択手段を更に備え、前記動画作成手段は、前記選択された画像を用いて動画を作成することを特徴とする。また、請求項５に係る発明は、請求項４の動画再生装置において、前記選択手段は、前記画像を選択する際の選択条件の指定を受け付ける手段を備え、前記指定された選択条件に基づいて、前記記録手段に記録された画像の中から前記動画の作成に使用する画像を選択することを特徴とする。
【００１４】
請求項４及び５に係る発明によれば、例えば、撮影日や画像情報等の選択基準に基づいて、動画の作成に用いる画像を指定することにより、不要な画像を動画の作成に用いずに済む。これにより、画像の閲覧性能をより高めることができる。
【００１５】
請求項６に係る撮影装置は、請求項１から５の動画再生装置を備えることを特徴とする。
【００１６】
請求項６に係る発明によれば、撮影装置の記録手段に記録された画像を動画化して、内部又は外部の動画出力手段に再生出力して容易に閲覧することができる。また、再生出力の都度、動画を作成するようにしたので、記録手段の空き容量を節約することができる。
【００１７】
請求項７に係る動画再生方法は、動画の出力指示を入力するための指示入力工程と、前記動画の出力指示に応じて、画像を記録するための記録手段に記録された１又は複数の画像を用いて動画を作成する動画作成工程と、前記動画作成工程において作成された動画を、作成された部分から順に再生出力する動画出力工程とを備えることを特徴とする。
【００１８】
請求項８に係る発明は、請求項７の動画再生方法において、複数の画像をつなぎ合わせて動画を作成する際にトランジション処理を施すとともに、前記動画の作成に用いる画像にオーサリングを施すオーサリング工程を更に備えることを特徴とする。
【００１９】
請求項９に係る発明は、請求項７又は８の動画再生方法において、前記動画の作成に使用する画像を選択する選択工程を更に備え、前記動画作成工程では、前記選択された画像を用いて動画を作成することを特徴とする。
【００２０】
請求項１０に係る発明は、請求項７又は８の動画再生方法において、前記画像を選択する際の選択条件の指定を受け付ける工程と、前記指定された選択条件に基づいて、前記記録手段に記録された画像の中から前記動画の作成に使用する画像を選択する工程とを備えることを特徴とする。
【発明の効果】
【００２１】
本発明によれば、記録手段に記録された画像を動画化して、内部又は外部の動画出力手段に再生出力することにより、画像が大量であっても容易に閲覧することができる。また、再生出力の都度、動画を作成するようにしたので、記録手段の空き容量を節約することができる。
【発明を実施するための最良の形態】
【００２２】
以下、添付図面に従って本発明に係る動画再生装置、動画再生方法及び撮影装置の好ましい実施の形態について説明する。
【００２３】
［動画再生システムの構成］
図１は、本発明の一実施形態に係る動画再生装置を説明するための図である。図１に示すように、本実施形態の撮影装置１は、外部再生装置１００及び外部ディスプレイ１０２とＬＡＮ接続されて、例えば、ＤＬＮＡ（Digital Living Network Alliance）標準に準拠した動画再生システムを構成する。撮影装置１は、撮影装置（電子カメラ）により構成されており、撮影した画像ファイル（静止画又は動画）を格納している。撮影装置１は、操作スイッチや、外部再生装置１００等からの動画の出力要求に応じて、撮影した静止画の画像ファイルを用いて動画ファイルを作成し、ＬＡＮを介して外部再生装置（例えば、メディアプレーヤ）１００にリアルタイムで出力する。撮影装置１から出力された動画ファイルは、外部再生装置１００によって表示用の画像信号に変換されて、外部ディスプレイ１０２に出力されて再生表示される。撮影装置１により作成された動画ファイルは、動画の出力要求が入力される度に作成され、撮影装置１の記録メディア（３０）には記録されない。なお、上記動画ファイルは、撮影装置１又は外部再生装置１００等により、所定の記録媒体（記録メディア３０）等に録画可能にしてもよい。
【００２４】
［撮影装置１の構成］
図２は、撮影装置１の主要構成を示すブロック図である。図２に示す撮影装置１は、静止画や動画の記録及び再生機能を備えた電子カメラであり、撮影装置１全体の動作は中央処理装置（ＣＰＵ）１０によって統括制御される。ＣＰＵ１０は、所定のプログラムに従って本カメラシステムを制御する制御手段として機能するとともに、自動露出（ＡＥ）演算、自動焦点調節（ＡＦ）演算、ホワイトバランス（ＷＢ）調整演算等、各種演算を実施する演算手段として機能する。電源回路１２は、本カメラシステムの各ブロックに電源を供給する。
【００２５】
ＣＰＵ１０には、バス１４を介してＲＯＭ（Read Only Memory）１６及びＥＥＰＲＯＭ（Electronically Erasable and Programmable Read Only Memory）１８が接続されている。ＲＯＭ１６には、ＣＰＵ１０が実行するプログラム及び制御に必要な各種データ等が格納され、ＥＥＰＲＯＭ１８には、ＣＣＤ画素欠陥情報、カメラ動作に関する各種定数／情報等が格納されている。
【００２６】
また、メモリ（ＳＤＲＡＭ、Synchronous Dynamic Random Access Memory）２０は、プログラムの展開領域及びＣＰＵ１０の演算作業用領域として利用されるとともに、画像データや音声データの一時記憶領域として利用される。ＶＲＡＭ（Video Random Access Memory）２２は、画像データ専用の一時記憶メモリであり、Ａ領域２２ＡとＢ領域２２Ｂを含んでいる。なお、メモリ２０とＶＲＡＭ２２は共用することが可能である。
【００２７】
撮影装置１には、モード選択スイッチ、撮影スイッチ、メニュー／ＯＫキー、十字キー、キャンセルキー等の操作スイッチ２４が設けられている。これら各種の操作スイッチからの信号はＣＰＵ１０に入力され、ＣＰＵ１０は入力信号に基づいて撮影装置１の各回路を制御し、例えば、レンズ駆動制御、撮影動作制御、画像処理制御、画像データの記録／再生制御、画像表示装置（液晶モニタ）２６の表示制御等を行う。
【００２８】
モード選択スイッチは、撮影モード、再生モード及び動画出力モードとの間で動作モードを切り替えるための操作手段である。撮影スイッチは、撮影開始の指示を入力する操作ボタンであり、半押し時にＯＮするＳ１スイッチと、全押し時にＯＮするＳ２スイッチとを有する２段ストローク式のスイッチで構成されている。メニュー／ＯＫキーは、画像表示装置２６の画面上にメニューを表示させる指令を行うためのメニューボタンとしての機能と、選択内容の確定及び実行等を指令するＯＫボタンとしての機能とを兼備した操作キーである。十字キーは、上下左右の４方向の指示を入力する操作部であり、メニュー画面から項目を選択したり、各メニューから各種設定項目の選択を指示したりするボタン（カーソル移動操作手段）として機能する。また、十字キーの上下キーは撮影時のズームスイッチあるいは再生時の再生ズームスイッチとして機能し、左右キーは再生モード時のコマ送り（順方向／逆方向送り）ボタンとして機能する。キャンセルキーは、選択項目等所望の対象の消去や指示内容の取消し、あるいは１つ前の操作状態に戻らせる時等に使用される。
【００２９】
画像表示装置２６は、カラー表示可能な液晶モニタで構成されている。画像表示装置２６（以下の説明では、液晶モニタ２６と記載する）は、撮影時に画角確認用の電子ファインダとして使用できるとともに、記録済み画像を再生表示する手段として利用される。また、液晶モニタ２６は、ユーザインターフェース用の表示画面としても利用され、必要に応じてメニュー情報や選択項目、設定内容等の情報が表示される。液晶モニタに代えて、有機ＥＬ（electro-luminescence）等の他の方式の表示装置を用いることも可能である。
【００３０】
撮影装置１は、メディアソケット（メディア装着部）２８を有し、メディアソケット２８には記録メディア３０を装着することができる。記録メディア３０の形態は特に限定されず、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。メディアコントローラ３２は、メディアソケット２８に装着される記録メディア３０に適した入出力信号の受渡しを行うために所要の信号変換を行う。
【００３１】
［撮影モード］
次に、撮影装置１の撮影機能について説明する。モード選択スイッチによって撮影モードが選択されると、カラーＣＣＤ固体撮像素子３６（以下の説明では、ＣＣＤ３６と記載する）を含む撮像部に電源が供給され、撮影可能な状態になる。
【００３２】
レンズユニット３８は、フォーカスレンズ４０及びズームレンズ４２を含む撮影レンズ４４と、絞り兼用メカシャッタ４６とを含む光学ユニットである。撮影レンズ４４のフォーカシングは、フォーカスレンズ４０をフォーカスモータ４０Ａによって移動させることにより行われ、ズーミングは、ズームレンズ４２をズームモータ４２Ａで移動させることにより行われる。フォーカスモータ４０Ａとズームモータ４２Ａは、それぞれフォーカスモータドライバ４０Ｂとズームモータドライバ４２Ｂにより駆動制御される。ＣＰＵ１０は、このフォーカスモータドライバ４０Ｂとズームモータドライバ４２Ｂに制御信号を出力して制御する。
【００３３】
絞り４６は、いわゆるターレット型絞りで構成されており、Ｆ２．８からＦ８の絞り孔が穿孔されたターレット板を回転させて絞り値（Ｆ値）を変化させる。この絞り４６の駆動はアイリスモータ４６Ａによって行われる。アイリスモータ４６Ａはアイリスモータドライバ４６Ｂにより駆動制御される。ＣＰＵ１０は、このアイリスモータドライバ４６Ｂに制御信号を出力して制御する。
【００３４】
レンズユニット３８を通過した光は、ＣＣＤ３６の受光面に結像される。ＣＣＤ３６の受光面には多数のフォトダイオード（受光素子）が２次元的に配列されており、各フォトダイオードに対応して赤（Ｒ）、緑（Ｇ）、青（Ｂ）の原色カラーフィルタが所定の配列構造で配置されている。ＣＣＤ３６は、各フォトダイオードの電荷蓄積時間（シャッタースピード）を制御する電子シャッター機能を有している。ＣＰＵ１０は、タイミングジェネレータ（ＴＧ）４８を介してＣＣＤ３６での電荷蓄積時間を制御する。また、ＣＰＵ１０は、ＣＣＤ３６に対して、ＯＦＤ（Overflow Drain）の電位を制御して、ＣＣＤ３６を構成するフォトダイオードに蓄積される信号電荷の上限値を調整する。
【００３５】
ＣＣＤ３６の受光面に結像された被写体像は、各フォトダイオードによって入射光量に応じた量の信号電荷に変換される。各フォトダイオードに蓄積された信号電荷は、ＣＰＵ１０の指令に従いＴＧ４８から与えられる駆動パルス（読み出しパルス、垂直転送クロック、水平転送クロック）に基づいて信号電荷に応じた電圧信号（画像信号）として順次読み出される。
【００３６】
ＣＣＤ３６から出力された信号はアナログ処理部（ＣＤＳ／ＡＭＰ）５０に送られ、ここで画素ごとのＲ、Ｇ、Ｂ信号がサンプリングホールド（相関２重サンプリング処理）され、増幅された後、Ａ／Ｄ変換器５２に加えられる。Ａ／Ｄ変換器５２によってデジタル信号に変換された点順次のＲ、Ｇ、Ｂ信号は、画像入力コントローラ５４を介してメモリ２０に記憶される。
【００３７】
画像信号処理回路５６は、メモリ２０に記憶されたＲ、Ｇ、Ｂ信号をＣＰＵ１０の指令に従って処理する。すなわち、画像信号処理回路５６は、同時化回路（単板ＣＣＤのカラーフィルタ配列に伴う色信号の空間的なズレを補間して色信号を同時式に変換する処理回路）、ホワイトバランス調整回路、ガンマ補正回路、輪郭補正回路、輝度・色差信号生成回路等を含む画像処理手段として機能し、ＣＰＵ１０からのコマンドに従ってメモリ２０を活用しながら所定の信号処理を行う。
【００３８】
画像信号処理回路５６に入力されたＲＧＢの画像データは、画像信号処理回路５６において輝度信号（Ｙ信号）及び色差信号（Ｃｒ、Ｃｂ信号）に変換されるとともに、ガンマ補正等の所定の処理が施される。画像信号処理回路５６で処理された画像データはＶＲＡＭ２２に格納される。
【００３９】
撮影画像を液晶モニタ２６にモニタ出力する場合、ＶＲＡＭ２２から画像データが読み出され、バス１４を介してビデオエンコーダ５８に送られる。ビデオエンコーダ５８は、入力された画像データを表示用の所定方式のビデオ信号（例えば、ＮＴＳＣ方式のカラー複合画像信号）に変換して液晶モニタ２６に出力する。
【００４０】
ＣＣＤ３６から出力される画像信号によって、１コマ分の画像を表す画像データがＶＲＡＭ２２のＡ領域２２ＡとＢ領域２２Ｂとで交互に書き換えられる。ＶＲＡＭ２２のＡ領域２２Ａ及びＢ領域２２Ｂのうち、画像データが書き換えられている方の領域以外の領域から、書き込まれている画像データが読み出される。このようにしてＶＲＡＭ２２内の画像データが定期的に書き換えられ、その画像データから生成される画像信号が液晶モニタ２６に供給されることにより、撮影中の映像がリアルタイムに液晶モニタ２６に表示される。撮影者は、液晶モニタ２６に表示される映像（スルームービー画）によって撮影画角を確認できる。
【００４１】
撮影スイッチが半押しされ、Ｓ１がオンすると、撮影装置１はＡＥ及びＡＦ処理を開始する。すなわち、ＣＣＤ３６から出力された画像信号はＡ／Ｄ変換後に画像入力コントローラ５４を介してＡＦ検出回路６０並びにＡＥ／ＡＷＢ検出回路６２に入力される。
【００４２】
ＡＥ／ＡＷＢ検出回路６２は、１画面を複数の分割エリア（例えば、８×８又は１６×１６）に分割し、この分割エリアごとにＲＧＢ信号を積算する回路を含み、その積算値をＣＰＵ１０に提供する。ＣＰＵ１０は、ＡＥ／ＡＷＢ検出回路６２から得た積算値に基づいて被写体の明るさ（被写体輝度）を検出し、撮影に適した露出値（撮影ＥＶ値）を算出する。ＣＰＵ１０は、求めた露出値と所定のプログラム線図に従って、絞り値とシャッタースピードを決定し、これに従いＣＣＤ３６の電子シャッター及びアイリスを制御して適正な露光量を得る。
【００４３】
また、ＡＥ／ＡＷＢ検出回路６２は、自動ホワイトバランス調整時に、分割エリアごとにＲＧＢ信号の色別の平均積算値を算出し、その算出結果をＣＰＵ１０に提供する。ＣＰＵ１０は、Ｒの積算値、Ｂの積算値、Ｇの積算値を得て、分割エリアごとにＲ／Ｇ及びＢ／Ｇの比を求め、これらＲ／Ｇ、Ｂ／Ｇの値のＲ／Ｇ、Ｂ／Ｇ軸座標の色空間における分布等に基づいて光源種判別を行い、判別された光源種に応じてホワイトバランス調整回路のＲ、Ｇ、Ｂ信号に対するゲイン値（ホワイトバランスゲイン）を制御し、各色チャンネルの信号に補正をかける。
【００４４】
撮影装置１におけるＡＦ制御は、例えば、画像信号のＧ信号の高周波成分が極大になるようにフォーカスレンズ４０を移動させるコントラストＡＦが適用される。すなわち、ＡＦ検出回路６０は、Ｇ信号の高周波成分のみを通過させるハイパスフィルタ、絶対値化処理部、画面内（例えば、画面中央部）にあらかじめ設定されているフォーカス対象エリア内の信号を切り出すＡＦエリア抽出部及びＡＦエリア内の絶対値データを積算する積算部から構成される。
【００４５】
ＡＦ検出回路６０により求められた積算値のデータはＣＰＵ１０に通知される。ＣＰＵ１０は、フォーカスモータドライバ４０Ｂを制御してフォーカスレンズ４０を移動させながら、複数のＡＦ検出ポイントで焦点評価値（ＡＦ評価値）を演算し、評価値が極大となるレンズ位置を合焦位置として決定する。そして、ＣＰＵ１０は、求めた合焦位置にフォーカスレンズ４０を移動させるようにフォーカスモータドライバ４０Ｂを制御する。なお、ＡＦ評価値の演算はＧ信号を利用する態様に限らず、輝度信号（Ｙ信号）を利用してもよい。
【００４６】
撮影スイッチが半押しされ、Ｓ１オンによってＡＥ／ＡＦ処理が行われ、撮影スイッチが全押しされ、Ｓ２オンによって記録用の撮影動作がスタートする。Ｓ２オンに応動して取得された画像データは画像信号処理回路５６において輝度／色差信号（Ｙ／Ｃ信号）に変換され、ガンマ補正等の所定の処理が施された後、メモリ２０に格納される。
【００４７】
メモリ２０に格納されたＹ／Ｃ信号は、圧縮伸張回路６４によって所定のフォーマットに従って圧縮された後、メディアコントローラ３２を介して記録メディア３０に記録される。例えば、静止画についてはＪＰＥＧ（Joint Photographic Experts Group）形式の画像ファイルとして記録される。
【００４８】
［再生モード］
モード選択スイッチにより再生モードが選択されると、記録メディア３０に記録されている最終の画像ファイル（最後に記録された画像ファイル）の圧縮データが読み出される。最後の記録に係る画像ファイルが静止画ファイルの場合、この読み出された画像圧縮データは、圧縮伸張回路６４を介して非圧縮のＹＣ信号に伸張され、画像信号処理回路５６及びビデオエンコーダ５８を介して表示用の信号に変換された後、液晶モニタ２６に出力される。これにより、当該画像ファイルの画像内容が液晶モニタ２６の画面上に表示される。
【００４９】
静止画の１コマ再生中（動画の先頭フレーム再生中も含む）に、十字キーの右キー又は左キーを操作することによって、再生対象の画像ファイルを切り替えること（順コマ送り／逆コマ送り）ができる。コマ送りされた位置の画像ファイルが記録メディア３０から読み出され、上記と同様にして静止画像や動画が液晶モニタ２６に再生表示される。
【００５０】
また、再生モード時に、パーソナルコンピュータやテレビ等の外部ディスプレイがビデオ入出力端子６６を介して撮影装置１に接続されている場合には、記録メディア３０に記録されている画像ファイルはビデオ出力回路６８により処理されて、この外部ディスプレイに再生表示される。
【００５１】
また、撮影装置１は、パーソナルコンピュータその他の外部機器と接続するための通信手段として通信制御部７２、ＵＳＢインターフェース部（ＵＳＢ＿Ｉ／Ｆ）７４及びＬＡＮインターフェース部（ＬＡＮ＿Ｉ／Ｆ）７６を備えている。撮影装置１は、ＵＳＢケーブルやＬＡＮケーブル、無線ＬＡＮ等を用いて撮影装置１と外部機器を接続することにより、外部機器との間でデータの授受が可能となり、外部機器に画像を再生表示させることが可能になる。もちろん、通信方式はＵＳＢやＬＡＮに限らず、IEEE1394やBluetooth（登録商標）、その他の通信方式を適用してもよい。
【００５２】
［動画出力モード］
撮影装置１がＵＳＢ＿Ｉ／Ｆ７４又はＬＡＮ＿Ｉ／Ｆ７６を用いて外部再生装置１００とＬＡＮ接続され、モード選択スイッチにより動画出力モードが選択されると、外部再生装置１００に動画を出力するための動画出力メニューが外部ディスプレイ１０２又は液晶モニタ２６に表示される。
【００５３】
図３は、動画出力メニューを示す図である。図３に示すように、動画出力メニューには、静止画を所定の条件の下、グルーピングして動画出力するための選択項目が表示される。「全画像．ｍｐｅｇ」は、記録メディア３０内の全ての静止画を動画出力するための選択項目である。また、「撮影日m/d1〜d2．ｍｐｅｇ」は、撮影日が連続した静止画群（m/d1〜m/d2に撮影された画像）をグルーピングして動画出力するためのメニューである。なお、静止画の画像ファイルのグルーピングは、例えば、当該静止画を撮影した時の焦点距離（Focal Length）や、）、画面内における被写体の位置情報（Subject Location、Subject Area）、被写体の位置（ＧＰＳ）情報、シーンタイプ（Scene Type）、シーン撮影タイプ（Scene Capture Type；例えば、標準、人物、夜景、風景等の被写体の種別）、ホワイトバランス（White Balance）、カメラがオートホワイトバランスで推定した光源の種類（Light Source）等の画像情報、又は上記画像情報の組み合わせにより行うようにしてもよい。
【００５４】
ＣＰＵ１０は、画像ファイルのヘッダ情報（例えば、EXIFタグ情報）から上記画像情報を取得して、記録メディア３０内の画像ファイルの撮影日の範囲や、焦点距離等の画像情報の値を取得して、記録メディア３０内の画像ファイルの画像情報の値の範囲に対応した選択項目を動画出力メニューに表示する。そして、ＣＰＵ１０は、上記動画出力メニューにおいて選択されたファイル名に従って記録メディア３０から動画ファイルの作成に用いる静止画をリストアップしてファイルリストを作成する。
【００５５】
次に、ＣＰＵ１０は、ファイルリストにリストアップした静止画の画像ファイルを撮影日順（例えば、新しい順又は古い順）にソートする。また、動画ファイルの作成に使用するテンプレートを決定して、図４に示すように、上記静止画のファイルリストと、テンプレートの情報を含む動画ファイルの作成用のデータが作成し、メモリ２０等に一時記憶する。ここで、テンプレートは、静止画に施すトランジション処理や、各静止画の表示時に施す色変化や付す枠等のオーサリング効果を決定するためのデータである。トランジション処理の例としては、静止画を画面内で移動、回転、裏返し、ズームイン、ズームアウト、表示中の静止画の端部や頂点から直線状、四角形又は多角形状のエッジを１又は複数移動させて別の静止画に切り替えるエッジワイプトランジションエフェクトや、静止画内の１点（例えば、中央や所定の被写体を含む領域）から多角形や円形、楔形状、ハート形、キーホール形状等の形状で別の静止画が拡がっていくことにより表示する静止画を切り替えるアイリスワイプトランジションエフェクト、１又は複数のエッジが静止画内を円周方向に掃くことにより別の静止画に切り替えるクロックワイプトランジションエフェクト、ジグザグ状又はスパイラル等のパターンに従って、静止画上に別の静止画をタイル状に出現させるマトリックスワイプトランジションエフェクト、表示中の上に別の静止画がフェードインするフェードトランジションエフェクト、表示中の静止画を別の静止画が押し出すプッシュトランジションエフェクト、表示中の静止画の上に別の静止画がスライドするスライドトランジションエフェクトがある。
【００５６】
次に、ＣＰＵ１０は、リストアップした画像ファイルの圧縮データを、ソートした順に従って記録メディア３０から読み出して、バス１４を介して圧縮伸張回路６４に順次供給する。圧縮伸張回路６４は、ＣＰＵ１０によって供給された画像ファイルの圧縮データを伸張して非圧縮データを生成する。この非圧縮データは、バス１４を介して画像ファイル１枚分ずつ動画エンコーダ７０に入力される。
【００５７】
動画エンコーダ７０は、圧縮伸張回路６４から入力された非圧縮データをエンコードして、ｍｐｅｇ形式の動画ファイルを作成し、圧縮伸張回路６４に入力する。このｍｐｅｇ形式の動画ファイルは、圧縮伸張回路６４により伸張されて、非圧縮の動画データとしてＶＲＡＭ２２に入力され、１コマ分の画像を表す画像データがＶＲＡＭ２２のＡ領域２２ＡとＢ領域２２Ｂとで交互に書き換えられる。そして、ＣＰＵ１０により、ＶＲＡＭ２２のＡ領域２２Ａ及びＢ領域２２Ｂのうち、画像データが書き換えられている方の領域以外の領域から、画像データが読み出されて、上記ＵＳＢ＿Ｉ／Ｆ７４、ＬＡＮ＿Ｉ／Ｆ７６又はビデオ入出力端子６６を介して接続された外部再生装置１００に出力される。このようにしてＶＲＡＭ２２内の画像データが定期的に書き換えられ、その画像データが外部再生装置１００に供給されることにより、静止画がソート順につなぎ合わされて、所定のオーサリング効果が加えられた動画ファイルが順次作成され、リアルタイムに外部ディスプレイ１０２に表示される。
【００５８】
なお、図３の動画出力メニューでは、上記のようなファイル名の表示に代えて、又はファイル名の表示とともに、動画に用いる画像のうち、１乃至複数枚を縮小表示乃至サムネイル表示するようにしてもよい。
【００５９】
また、本実施形態では、画像情報を画像ファイルのヘッダ情報から取得するようにしたが、例えば、画像情報を格納するための画像管理ファイルを記録メディア３０に記録しておき、画像管理ファイルから画像情報を取得するようにしてもよい。
【００６０】
また、本実施形態では、記録メディア３０内の静止画の画像ファイルを用いて動画ファイルを作成するようにしたが、動画ファイル又はその一部（例えば、先頭）のコマを用いて動画ファイルを作成するようにしてもよい。
【００６１】
［動画出力モードの処理］
次に、動画出力モード時における処理の流れについて、図５のフローチャートを参照して説明する。まず、操作スイッチ２４から動画の再生要求が入力されると、記録メディア３０に記録された画像のファイルリストが作成される（ステップＳ１０）。そして、ファイルリストにリストアップされた画像が撮影された日付順にソートされる（ステップＳ１２）。
【００６２】
次に、ｍｐｅｇファイルのヘッダが生成されて、外部ディスプレイに送出される（ステップＳ１４）。そして、ファイルリストにリストアップされた画像ファイルの圧縮データ（ＪＰＥＧ形式のデータ）が圧縮伸張回路６４によりデコードされて、無圧縮データが生成されバス１４に送出される（ステップＳ１６）。
【００６３】
次に、上記無圧縮データが動画エンコーダ７０によりｍｐｅｇ形式のデータに圧縮されて（ステップＳ１８）、外部ディスプレイに送出される（ステップＳ２０）。
【００６４】
そして、上記ステップＳ１６からＳ２０の処理が繰り返されて、ファイルリストにリストアップされたすべての画像ファイルが送出されると（ステップＳ２２のＹｅｓ）、処理を終了する。
【００６５】
本実施形態によれば、記録メディア３０に記録された大量の静止画を動画ファイル化して容易に閲覧することができる。また、再生出力の都度、動画ファイルを作成するようにしたので、記録メディア３０の空き容量を節約することができる。
【００６６】
なお、本発明に係る動画再生装置及び動画再生方法は、上記実施形態の撮影装置のほか、ビデオ再生装置（ビデオデッキ、テレビ）やパーソナルコンピュータ（ＰＣ）、画像表示機能を有するプリンタ、携帯フォトプレーヤー、携帯情報端末（ＰＤＡ）、携帯電話等の画像表示機能を有する装置に適用することができる。また、本発明に係る動画再生装置及び動画再生方法は、上記の処理を行うプログラムを含み、上記の画像表示機能を有する装置に適用するためのソフトウェアやファームウェアとしてもすることができる。
【図面の簡単な説明】
【００６７】
【図１】本発明の一実施形態に係る動画再生装置を説明するための図
【図２】撮影装置１の主要構成を示すブロック図
【図３】動画出力メニューを示す図
【図４】動画ファイル作成用データを模式的に示す図
【図５】動画出力モード時における処理の流れを示すフローチャート
【符号の説明】
【００６８】
１…撮影装置（カメラ）、１０…中央処理装置（ＣＰＵ）、１２…電源回路、１４…バス、１６…ＲＯＭ、１８…ＥＥＰＲＯＭ、２０…メモリ（ＳＤＲＡＭ）、２２…ＶＲＡＭ、２４…操作スイッチ、２６…画像表示装置（液晶モニタ）、２８…メディアソケット、３０…記録メディア、３２…メディアコントローラ、３４…外部接続インターフェース（Ｉ／Ｆ）部、３６…ＣＣＤ、３８…レンズユニット、４０…フォーカスレンズ、４２…ズームレンズ、４４…撮影レンズ、４６…絞り兼用メカシャッタ、４８…タイミングジェネレータ（ＴＧ）、５０…アナログ処理部（ＣＤＳ／ＡＭＰ）、５２…Ａ／Ｄ変換器、５４…画像入力コントローラ、５６…画像信号処理回路、５８…ビデオエンコーダ、６０…ＡＦ検出回路、６２…ＡＥ／ＡＷＢ検出回路、６４…圧縮伸張回路、６６…ビデオ入出力端子、６８…ビデオ出力回路、７０…動画エンコーダ
【図１】
2008193495.tif 000003
【図２】
2008193495.tif 000004
【図３】
2008193495.tif 000005
【図４】
2008193495.tif 000006
【図５】
2008193495.tif 000007